(57)【要約】      （修正有）【課題】商品を収納して配達した宅配便または郵便物用パッケージを利用して、前記商品を保管する商品保管用スタンドボックスを作成する。【解決手段】上質の硬質紙片４の表面側には商品等表示を印刷表示し、且つ該硬質紙片４の裏面側にはスタンドボックスの作成手順図３６が印刷表示され、且つ前記硬質紙片４を折曲げ線に沿って折曲げると共に、係止スリットに差込み片を差込んで係止して２個の商品収納部２・３を備えたパッケージが作成され、更に、前記配達されたパッケージの裏面側に印刷表示された第１・第２のボックス形成片３７・３８をミシン線に沿って切断すると共に、該第１・第２のボックス形成片３７・３８を折曲げ線に沿って折曲げ、差込片を係止スリットに差込み片を差込んで係止して商品保管用スタンドボックスを作成する。【選択図】図５
2019038573.tif 000002
【特許請求の範囲】
【請求項１】
スティック状袋あるいはアルミパウチ等に封入した商品を複数個まとめたものを１セットとし、前記１セットの商品を２セットとして、２つの収納部にそれぞれ別々に収納して、宅配便または郵便物として注文主に配達することができる方形箱状をしたパッケージであって、該パッケージは、商品保管用スタンドボックスとして再利用ができるよう構成されており、前記パッケージは上質の硬質紙片で形成され、且つ該硬質紙片の表面側には商品等表示が印刷表示されると共に、該紙片の裏面側には、前記スタンドボックスの作成手順図、およびスタンドボックスを形成する第１・第２のボックス形成片が、その各外周縁に切断用ミシン線を設けて印刷表示される一方、前記硬質紙片には、予め、該硬質紙片を折曲げる折曲げ線、該硬質紙片を切断するミシン線および差込片を差込んで係止する係止スリットを形成しておき、商品の受注者側において、前記硬質紙片を折曲げ線に沿って折曲げると共に、前記係止スリットに差込み片を差込んで係止することにより、前記２セットの商品を収納する２個の収納部を備えた宅配便または郵便物用パッケージを作成でき、更に、注文者側において、前記配達されたパッケージから商品を取り出した後、前記第１・第２のボックス形成片をその外周縁に設けられたミシン線に沿って切断して、該第１・第２のボックス形成片を前記硬質紙片から分離し、前記第１・第２のボックス形成片に設けられた折曲げ線に沿って折曲げると共に、差込片を係止スリットに差込み片を差込んで係止することにより、商品を保管する商品保管用スタンドボックスを作成することができるようにしたことを特徴とする宅配便または郵便物用パッケージ。
【発明の詳細な説明】
【技術分野】
【０００１】
本発明は、例えば、粉末状または顆粒状のサプリメント等の商品を、スティック状袋あるいはアルミパウチ等に封入し、これらを複数個まとめたものを1セットとし、前記1セットの商品をそれぞれ別々に２セット収納することができる２個の収納部をそれぞれ備えた薄型の方形箱状をしたパッケージを構成する、上質の硬質紙片に、予め前記硬質紙片を折曲げる折曲げ線、該紙片を切断するミシン線並びに差込み片と該差込み片を差込んで係止する係止スリットとをそれぞれ形成しておき、商品の受注者側において、前記紙片を折曲げ線に沿って折曲げると共に、前記係止スリットに差込み片を差込んで係止することにより、極めて簡単、且つ迅速に、２セットの商品をそれぞれ別々に収納できる２個の収納部を備えた宅配便または郵便物用パッケージを作成して、該パッケージの２個の収納部に２セットの商品をそれぞれ１セットずつ収納して、箱や袋より成る宅配便または郵便物用収納具に入れて、注文主へ発送する一方、前記注文商品を収納して注文主に配達された前記パッケージを利用して、注文者側において、前記パッケージを前記ミシン線に沿って切断すると共に、折曲げ線に沿って折曲げ、更に差込片を係止スリットに差込み片を差込んで係止することにより、誰でも簡単、且つ迅速に、前記２セットの商品をまとめて保管する商品保管用スタンドボックスを作成することができる宅配便または郵便物用パッケージに関するものである。
【背景技術】
【０００２】
従来、商品を収納して注文主に宅配便または郵便物として配達された、薄型の方形状をした宅配便または郵便物用パッケージは、注文主側において商品を取り出した後は廃棄するのが一般的であり、配達された後のパッケージを利用して商品保管用スタンドボックスを作成し、該商品保管用スタンドボックス内に配達された商品を保管するということは行われておらず、またこれらパッケージを利用して商品保管用スタンドボックスを作成するという技術思想につき、過去の特許文献を遡及検索しても、これと同一または類似する特許文献は１件も発見することができなかった。
【発明の概要】
【発明が解決しようとする課題】
【０００３】
前記のように、商品を収納して注文主に宅配便または郵便物として、箱や袋より成る宅配便または郵便物用収納具に入れて配達された、薄型の方形箱状をしたパッケージは、注文主側において商品を取り出した後は廃棄するのが一般的であり、配達された後のパッケージを利用して商品保管用スタンドボックスを作成し、該商品保管用スタンドボックス内に配達された商品を保管するということは行われていないので、資源の無駄遣いであるし、また、パッケージから商品を取り出した後、該商品を保管した場所を忘れたり、紛失したりして、極めて不便であるという課題があった。
【０００４】
本発明は、前記課題を解決すべくなされたものであって、上質の硬質紙片より成る宅配便または郵便物用パッケージが、商品受注者側において、簡単、且つ迅速に作成でき、そして該パッケージに、スティック状袋あるいはアルミパウチ等に封入した商品を、複数個まとめたものを１セットとし、前記1セットの商品をそれぞれ別々に２セット収納した後、前記パッケージを箱や袋より成る宅配便または郵便物用収納具に入れて、注文主へ宅配便または郵便物として送付できると共に、注文主へ配達された商品を収納した前記パッケージから、前記商品を取り出した後、注文主が前記パッケージを利用して、前記２セットの商品をまとめて収納することができる商品保管用スタンドボックスを、誰でも簡単、且つ迅速に作成でき、且つ該商品保管用スタンドボックス内に、前記パッケージから取り出した商品が見えやすいように、且つ整然とまとめて収納して保管できるようにした商品保管用スタンドボックスを作成することができる宅配便または郵便物用パッケージを提供しようとするものである。
【課題を解決するための手段】
【０００５】
本発明は、スティック状袋あるいはアルミパウチ等に封入した商品を複数個まとめたものを１セットとし、前記１セットの商品を２セットとして、２つの収納部にそれぞれ別々に収納して、宅配便または郵便物として注文主に配達することができる方形箱状をしたパッケージであって、該パッケージは、商品保管用スタンドボックスとして再利用ができるよう構成されており、前記パッケージは上質の硬質紙片で形成され、且つ該硬質紙片の表面側には商品等表示が印刷表示されると共に、該紙片の裏面側には、前記スタンドボックスの作成手順図、およびスタンドボックスを形成する第１・第２のボックス形成片が、その各外周縁に切断用ミシン線を設けて印刷表示される一方、前記硬質紙片には、予め、該硬質紙片を折曲げる折曲げ線、該硬質紙片を切断するミシン線および差込片を差込んで係止する係止スリットを形成しておき、商品の受注者側において、前記硬質紙片を折曲げ線に沿って折曲げると共に、前記係止スリットに差込み片を差込んで係止することにより、前記２セットの商品を収納する２個の収納部を備えた宅配便または郵便物用パッケージを作成でき、更に、注文者側において、前記配達されたパッケージから商品を取り出した後、前記第１・第２のボックス形成片をその外周縁に設けられたミシン線に沿って切断して、該第１・第２のボックス形成片を前記硬質紙片から分離し、前記第１・第２のボックス形成片に設けられた折曲げ線に沿って折曲げると共に、差込片を係止スリットに差込み片を差込んで係止することにより、商品を保管する商品保管用スタンドボックスを作成するという手段を採用することにより、上記課題を解決した。
【発明の効果】
【０００６】
前記構成より成る本発明宅配便または郵便物用パッケージは、該パッケージと、該パッケージを利用する商品保管用スタンドボックスとが、簡単、且つ迅速に作成することができるように、予め、上質の硬質紙片に、折曲げ線、切断用ミシン線および差込み片を差込む係止スリットが形成されているため、注文主から商品の注文を受けた受注者は、前記折曲げ線および差込み片を差込む係止スリットを使用して、粉末状または顆粒状のサプリメント等の商品を、スティック状袋あるいはアルミパウチ等に封入し、これら商品を複数個まとめたものを１セットとし、前記１セットの商品をそれぞれ別々に２セット収納することができる２個の収納部を備えたパッケージを簡単、且つ迅速に作成することができ、該パッケージの２つの収納部に２セットの商品を収納した後、これを宅配便または郵便物用収納具に入れて、宅配便または郵便物として送付することができ、そして、前記配達された商品を受け取った注文主は、前記パッケージを開封して商品を取り出した後、該パッケージに印刷表示された第１・第２のボックス形成片を前記硬質紙片からミシン線に沿って切断分離し、前記折曲げ線や切断用ミシン線に沿って、折曲げ、あるいは切断すると共に、係止スリットに差込み片を差込んで係止することにより、接着剤を使用することなく、商品保管用スタンドボックスを誰でも簡単、且つ迅速に作成することができ、また、前記パッケージから取り出した商品を、前記商品保管用スタンドボックス内に収納して棚等に載置すれば、従来のように、保管場所を忘れたり、あるいは紛失したりする虞れもなく、迅速に商品を取り出し使用することができ、更に、予め、前記商品保管用スタンドボックスの側壁面となる部分に、通常の商品のパッケージと同様に、商品名、商品説明、販売者名およびデザイン等の印刷表示しておくことにより、商品の宣伝を兼ねたり、あるいはデザイン表示により部屋に彩りを与えることができる外、前記商品以外の鉛筆やメモ用紙等をも収納できるので、資源の有効利用をも図ることができる等、優れた効果を奏することができる。
【図面の簡単な説明】
【０００７】
【図１】本発明商品保管用スタンドボックスを作成することができる宅配便または郵便物用パッケージの素材である硬質紙片の表面側に、商品等表示を印刷表示して示す表面図である。
【図２】本発明商品保管用スタンドボックスを作成することができる宅配便または郵便物用パッケージの素材である硬質紙片の表面側に印刷された商品等表示を省略して示す表面図である。
【図３】本発明商品保管用スタンドボックスを作成することができる宅配便または郵便物用パッケージの素材である硬質紙片の裏面図である。
【図４】本発明商品保管用スタンドボックスを作成することができる宅配便または郵便物用パッケージの作成状態を示す裏面側斜視図であって、左側蓋片を裏面側へ折り返し、該左側蓋片の一端縁を硬質紙片の裏面に貼着固定した状態を示す図である。
【図５】本発明商品保管用スタンドボックスを作成することができる宅配便または郵便物用パッケージの作成状態を示す裏面側斜視図であって、右側蓋片を裏面側へ折り返し、左側蓋片の一端縁に接合固定した状態を示す図である。
【図６】本発明商品保管用スタンドボックスを作成することができる宅配便または郵便物用パッケージにおいて、下側折返し片を折返して左・右側蓋片の下方側に接合固定し、２つの収納部の上側から商品を収納している状態を示す裏面側斜視図である。
【図７】本発明商品保管用スタンドボックスを作成することができる宅配便または郵便物用パッケージにおいて、２つの収納部の上側から商品を収納した後、上側折返し片を折返して左・右側蓋片の上方側に接合固定した状態を示す裏面側斜視図である。
【図８】本発明商品保管用スタンドボックスを作成することができる宅配便または郵便物用パッケージにおいて、２つの収納部に商品を収納した後、上・下側折返し片を折返して左・右側蓋片の上・下方側に接合固定して、商品を封入した状態を示す表面側斜視図である。
【図９】本発明商品保管用スタンドボックスを作成することができる宅配便または郵便物用パッケージを使用して商品保管用スタンドボックスを作成するに際し、硬質紙片から切り離される第１のボックス形成片と第２のボックス形成片部分を斜線表示して示す硬質紙片の裏面図である。
【図１０】本発明商品保管用スタンドボックスを作成することができる宅配便または郵便物用パッケージを使用して商品保管用スタンドボックスを作成する状態を示す説明図である。
【図１１】本発明商品保管用スタンドボックスを作成することができる宅配便または郵便物用パッケージを使用して作成した商品保管用スタンドボックスの平面図である。
【図１２】本発明商品保管用スタンドボックスを作成することができる宅配便または郵便物用パッケージを使用して作成した商品保管用スタンドボックスの下方側から見た斜視図である。
【実施例】
【０００８】
本発明の実施の一例を図面に基づいて詳細に説明する。本発明宅配便または郵便物用パッケージＰの素材は、例えば、粉末状または顆粒状のサプリメント等を、スティック状袋あるいはアルミパウチ等の包装袋に封入した商品１を、複数個まとめたものを1セットとし、前記1セットの商品をそれぞれ別々に２セット収納することができる２個の収納部２・３をそれぞれ備えて形成された薄型の方形箱状をしたパッケージＰに、前記２セットの商品１を２個の収納部２・３にそれぞれ別々に収納して、箱や袋より成る宅配便または郵便物用収納具に入れて、宅配便または郵便物として注文主に配達されるに適し、且つ折曲げおよび切断が容易な上質の硬質紙片４を使用する。
【０００９】
本発明は、宅配便または郵便物用パッケージＰと、該パッケージＰを利用して商品保管用スタンドボックスＢとを、それぞれカッターや接着剤をほとんど使用することなく、簡単、且つ迅速に作成、または分解することができるように、予め、上質の硬質紙片４に、折曲げ線、切断用のミシン線、並びに差込み片と該差込み片を差込んで係止するための係止用スリットがそれぞれ形成されている。
【００１０】
図１は、本発明宅配便または郵便物用パッケージＰを形成する上質の硬質紙片４の表面図で、該硬質紙片４の表面側は、通常の商品のパッケージと同様に、商品名、商品説明、販売者名およびデザイン表示等の商品等表示Ｄを印刷表示して形成されており、スティック状袋あるいはアルミパウチ等の包装袋に封入した商品１を複数個まとめて１セットとし、前記１セットの商品を、それぞれ別々に２セット収納することができるよ２個の収納部２・３を備えた薄型の方形箱状に組立てて、本発明宅配便または郵便物用パッケージＰが形成される。なお、図２は、説明の都合上、図１に印刷表示された商品等表示Ｄを省略して示す表面図である。
【００１１】
すなわち、図１および図２に示すように、本発明宅配便または郵便物用パッケージＰを形成する上質の硬質紙片４において、横長状の中間片５の上端縁に側壁形成片６を備えて上側折曲げ片７が連設されると共に、前記中間片５の下端縁に側壁形成片８を備えて下側折曲げ片９が連設され、更に、前記中間片５の左・右端縁部には、左側蓋片１０と右側蓋片１１が、上・下端縁部に折曲げ小片１２・１３および１４・１５をそれぞれ突設した側壁形成片１６・１７を備えて連設されている。
【００１２】
そして、図２に示すように、前記側壁形成片６に接する中間片５の上端縁の左側において、全長の半分よりやや長い折曲げ線１８が形成されると共に、前記中間片５の上端縁の右側には、中央において折曲げ線１９とその両側に折曲げ線を兼ねる切断用のミシン線２０ａ・２０ｂが、前記折曲げ線１８に連設して形成されると共に、前記側壁形成片６に接する上側折曲げ片７の下端縁には、折曲げ線を兼ねるミシン線２１が形成されている。なお、前記左側蓋片１０の側壁形成片１６の上端縁部に突設された折曲げ小片１２には、前記折曲げ線１８に連なる折曲げ線２２が設けられ、且つ前記右側蓋片１１の側壁形成片１７の上端縁部に突設された折曲げ小片１４には、前記ミシン線２０ｂに連なる折曲げ線を兼ねるミシン線２３が形成されている。
【００１３】
また、前記側壁形成片８に接する中間片５の下端縁の右側においては、全長の半分よりやや長い折曲げ線２４が形成されると共に、前記中間片５の下端縁の左側には、中央において折曲げ線２５とその両側に折曲げ線を兼ねる切断用のミシン線２６ａ・２６ｂが形成されると共に、前記側壁形成片８に接する下側折曲げ片９の上端縁には、折曲げ線を兼ねるミシン線２７が形成されている。なお、前記左側蓋片１０の側壁形成片１６の下端縁部に突設された折曲げ小片１３には、前記ミシン線２６ｂに連なる折曲げ線２８が設けられ、且つ前記右側蓋片１１の側壁形成片１７の下端縁部に突設された折曲げ小片１５には、前記折曲げ線２４に連なる折曲げ線を兼ねるミシン線２９が形成されている。
【００１４】
前記中間片５の左側端縁部に側壁形成片１６を介して連設された左側蓋片１０は、前記中間片５の半分程度の幅を有する第１の方形状片３０が前記側壁形成片１６の左側に連設された連設片３１を介して連設されると共に、前記第１の方形状片３０の左側端縁部に幅広の第１の延長突出片３２を連設固定して形成されている。
【００１５】
前記中間片５の右側端縁部に側壁形成片１７を介して連設された右側蓋片１１は、前記中間片５の半分程度の幅を有する第２の方形状片３３が前記側壁形成片１７の右側に連設された連設片３４を介して連設されると共に、前記第２の方形状片３３の右側端縁部に細広の第２の延長突出片３５を連結固定して形成されている。
【００１６】
前記中間片５、上・下側折曲げ片７・９および左・右側蓋片１０・１１等を備えた硬質紙片４の裏面側には、図３に示すように、硬質紙片４の上側折曲げ片７に、後述する商品保管用スタンドボックスＢの作成手順図３６が印刷表示されると共に、前記中間片５にスタンドボックスＢを形成するための第１のボックス形成片３７と第２のボックス形成片３８とが間隔を置いてそれぞれ印刷表示されている。
【００１７】
なお、特に限定する必要はないが、好ましくは、前記ボックス形成片３７・３８は、後述する図９に示すように、目立つように広い間隔の斜線表示にしてもよいし、あるいは、前記斜線表示に代えて着色表示にしてもよい。
【００１８】
前記第１のボックス形成片３７は、図３に示すように、前記中間片５の２分の１幅よりやや細幅で、スタンドボックスＢの一方側の壁面を構成する第１の長方形状面３９に形成すると共に、該第１の長方形状面３９の左側蓋片１０側に、スタンドボックスＢの底壁面を構成する長方形状の突片４０と、一端に三角形状の突起４１ａ（図において、狭い間隔の斜線表示にしてある）を備えた突片４１とをそれぞれ間隔をおいて突設し、更に前記第１の長方形状面３９の下端縁中央の折曲げ線２５の下方に差込み片４２を突設すると共に、前記構成より成る第１のボックス形成片３７の外周縁部に切断用のミシン線４３を周設して形成されている。
【００１９】
なお、前記第１のボックス形成片３７の上端縁のミシン線４３ａは、前記上側折曲げ片７の下端縁の折曲げ線を兼ねるミシン線２１と共通であり、また前記第１のボックス形成片３７の下端縁のミシン線４３ｂは、前記中間片５の下端縁の折曲げ線を兼ねるミシン線２６a・２６b と共通である。
【００２０】
更に、前記第２のボックス形成片３８は、図３に示すように、前記中間片５の２分の１幅よりやや細幅で、スタンドボックスＢの他方側の壁面を構成する第２の長方形状面４４に形成すると共に、該第２の長方形状面４４の右側蓋片１１側に、スタンドボックスＢの底壁面を構成する一端に三角形状の突起４５ａ
（図において、狭い間隔の斜線表示にしてある）を備えた突片４５と、方形状の突片４６・４７とを、それぞれ間隔をおいて突設し、更に前記第２の長方形状面４４の上端縁中央の折曲げ線１９の上方に差込み片４８を突設すると共に、前記構成より成る第２ボックス形成片３８の外周縁部に切断用ミシン線４９を周設して形成されている。
【００２１】
なお、前記第２ボックス形成片３８の上端縁のミシン線４９ａは、前記中間片５の上端縁の折曲げ線を兼ねるミシン線２０a・２０b と共通であり、また前記ボックス形成片３８の下端縁のミシン線４９ｂは、前記下側折曲げ片９の折曲げ線を兼ねるミシン線２７と共通である。
【００２２】
そして、前記第１・第２のボックス形成片部３７・３８は、図３に示す外周縁に設けられた切断用のミシン線４３・４９に沿ってそれぞれ切断して、該各ボックス形成片３７・３８を硬質紙片４から切り離して、後述するように両者を接合固着してスタンドボックスＢを作成できるよう形成されている。
【００２３】
また、前記構成より成る硬質紙片４の左側蓋片１０を構成する幅広の第１の延長突出片３２の中央長手方向に折曲げ線５０を設けると共に、前記第１の方形状片３０と前記第１の延長突出片３２間に折曲げ線５１を設け、且つ該折曲げ線５１の中央に差込み用スリット５２を設け、更に前記第１の長方形状面３９と側壁形成片１６間、および該側壁形成片１６と連設片３１間に、それぞれ折曲げ線５３ａ・５３ｂが形成されると共に、左側蓋片１０と連設片３１間に切断用のミシン線５４を設ける一方、前記第１の長方形状面３９の上方側の折曲げ線１８の中央に、差込み用スリット５５を設けて形成されている。
【００２４】
また更に、前記構成より成る硬質紙片４の右側蓋片１１を構成する細幅の第２の延長突出片３５と前記第２の方形状片３３間に折曲げ線５６を設け、且つ該折曲げ線５６の中央に差込み片５７を、一部をカットして設け、更に前記第２の長方形状面４４と側壁形成片１７間、および該側壁形成片１７と連設片３４間に、それぞれ折曲げ線５８ａ・５８ｂが形成されると共に、右側蓋片１１と連設片３４間に切断用のミシン線５９を設ける一方、前記第２の長方形状面４４の下方側の折曲げ線２４の中央に、差込み用スリット６０を設けて形成されている。
【００２５】
そして更に、図２の表面図に示す上側折曲げ片７の左側と下側折曲げ片９の右側には、湾曲した差込み片６１・６２が一部をカットしてそれぞれ設けられると共に、前記左側蓋片１０の上方部には前記上側折曲げ片７の差込み片６１を差込んで係止する差込み用スリット６３が設けられ、且つ前記右側蓋片１1の下方部には前記下側折曲げ片９の差込み片６２を差込んで係止する差込み用スリット６４が設けられている。
【００２６】
なお、図１に示すように、前記硬質紙片４の表側面には商品等表示Ｄが印刷表示されているが、後述する商品保管用スタンドボックスＢを構成する図３の裏側面に表示された一方側の壁面となる第１の長方形状面３９および他方側の壁面となる第２の長方形状面４４の、図１の表面側位置においては、商品保管用スタンドボックスＢの壁面に商品名やその他のデザイン等が位置するよう、前記長方形状面３９・４４とほぼ同一大きさの長方形状に壁面用印刷表示Ｄ１
・Ｄ２がそれぞれ印刷表示されている。
【００２７】
前記のように、硬質紙片４の表面側に商品等表示Ｄおよび壁面用印刷表示Ｄ１・Ｄ２がなされ、且つ前記硬質紙片４の裏面側に折曲げ線１８等、ミシン線２１等、差込み片４２等、差込み用スリット５２等を設けると共に、ボックス形成片３７・３８を備えた硬質紙片４を使用して、宅配便または郵便物用パッケージＰを、注文者から商品１の注文を受けた受注者が作成する方法を説明する。
【００２８】
商品１の注文を受けた受注者は、先ず前記硬質紙片４を裏返して図３に示す状態とした後、一方側のボックス形成片３７の折曲げ線５３ａを谷折りして、左側蓋片１０側を直角に起立させ、更に折曲げ線５３ｂを谷折りして左側蓋片１０を内側に直角に折曲して、該左側蓋片１０を前記一方側のボックス形成片３７上に折り返す一方、前記左側蓋片１０の第１の延長突出片３２の折曲げ線５１を山折りして、該第１の延長突出片３２を下方へ直角に折曲すると共に、外側に位置する折曲げ線５０を谷折りして外側の折曲げ片３２ａを水平に折曲し、更に該折曲げ片３２ａの裏面側を硬質紙片４の裏面に接着固定することにより、図４に示すように前記側壁形成片１６と内側の折曲げ片３２ｂが直角に起立した状態となり、前記側壁形成片１６と折曲げ片３２ｂａの高さ分だけの空隙部２ａを備えた商品１の一方側の収納部２が形成される。
【００２９】
次に、他方側のボックス形成片３８の折曲げ線５８ａを谷折りして、右側蓋片１１側を直角に起立させ、更に折曲げ線５８ｂを谷折りして前記右側蓋片１１を内側に直角に折曲して、該右側蓋片１１を前記他方側のボックス形成片３８上に折返す一方、前記第２の延長突出片３５の折曲げ線５６を山折りして、折曲げ片３５ａを直角に下方へ折曲すると共に、前記第２に延長突出片３５に一部をカットして形成された差込み片５７を、前記左側蓋片１０の第１の延長突出片３２に設けられた差込み用スリット５２に差込み係止することにより、図            ５に示すように前記左側蓋片１０の折曲げ片３２ｂと右側蓋片１１の折曲げ片３５ａが摺接して、前記右側蓋片１１の側壁形成片１７と折曲げ片３５ａが起立した状態となり、該側壁形成片１７と折曲げ片３５ａの高さ分だけの空隙部３ａを備えた商品１の他方側の収納部３が形成される。
【００３０】
前記のように形成された収納部２・３は、上方側と下方側の両方が開口された状態となっているので、商品１の注文を受けた受注者は、各収納部２・３の上下いずれの開口部からも、複数本の商品１をまとめたものを１セットとして、これを２セット前記各収納部２・３に収納することができる（図６は、上方の開口部より商品を収納する状態が図示されている）。そして、前記２セットの商品１を前記各収納部２・３に収納した後、前記各側壁形成片１６・１７の上下端に突設された折曲げ片１２・１３・１４・１５をそれぞれ内側方向に折曲し、然る後、上側折曲げ片７を折曲げ線を兼ねるミシン線２１を谷折りして内側方向へ折曲げて、前記収納部２・３の上方側に接しさせ、前記上側折曲げ片７に一部をカットして形成された差込み片６１を左側蓋片１０に設けられた差込み用スリット６３に差込み係止する一方、下側折曲げ片９を折曲げ線を兼ねるミシン線２７を谷折りして内側方向へ折曲げて、前記収納部２・３の下方側に接しさせ、前記下側折曲げ片９に一部をカットして形成された差込み片６２を右側蓋片１１に設けられた差込み用スリット６４に差込み係止することにより、前記商品１をそれぞれ収納した収納部２・３は、上・下側折曲げ片７・９および前記収納部２・３の上下の開口部が前記各側壁形成片６・８によって閉鎖され、該収納部２・３から商品１が散逸することなく収納されて、宅配便または郵便物用パッケージＰが形成される(図７・図８)。そして、前記商品１を収納した宅配便または郵便物用パッケージＰを、箱や袋等より成る宅配便または郵便物用収納具（図示せず）に封入して注文主に発送することができる。
【００３１】
前記収納部２・３に２セットの商品１を収納した宅配便または郵便物用パッケージＰを受け取った注文主は、該宅配便または郵便物用パッケージＰを封入した宅配便または郵便物用収納具から前記パッケージＰを取出すと共に、該パッケージＰから商品１を取り出した後のパッケージＰを利用して、商品保管用スタンドボックスＢを作成することができる。以下、前記商品１を取り出した後のパッケージＰを利用して商品保管用スタンドボックスＢを作成する方法について説明する。
【００３２】
前記商品１を収納部２・３に収納したパッケージＰを受取った注文主は、先ず
左側蓋片１０に設けられた差込み用スリット６３に差込まれている上側折曲げ片７に形成された差込み片６１を、前記差込み用スリット６３から引き抜くと共に、右側蓋片１１に設けられた差込み用スリット６４に差込まれている下側折曲げ片９に形成された差込み片６２を、前記差込み用スリット６４から引き抜いて、前記上・下側折曲げ片７・９をそれぞれ外側方向に折り返して、左・右側蓋片１０・１１を開放し、前記収納部２・３に収納された２セットの商品１を、該収納部２・３の上下の開口部のいずれかより取り出す。
【００３３】
そして、前記左側蓋片１０の差込み用スリット５２に差込まれている右側蓋片１１の差込み片５７を、前記差込み用スリット５２から抜き取って、前記右側蓋片１１を外側方向へ折り返して開放し、第２のボックス形成片３８を露出さ、然る後、左側蓋片１０の第１の延長突出片３２の硬質紙片４の裏面側に貼着固定されている折曲げ片３２ｂを裏面側から引き剥がして、該左側蓋片１０を外側方向へ折り返して開放し第１のボックス形成片３７を露出させて、図３に示すような展開された状態とする。
【００３４】
前記図３に示すような展開された状態とした後は、図９に斜線表示された第１・第２のボックス形成片３７・３８を、それぞれその外周縁に設けられた切断用のミシン線４３・４９に沿って切断して硬質紙片４から切り離して、上側折曲げ片６の裏面側に印刷表示されたスタンドボックスＢの作成手順図３６により、スタンドボックスＢを作成することになる。
【００３５】
前記硬質紙片４より切断して切り離された第１・第２のボックス形成片３７・３８を前記作成手順図３６に従って折曲げ、接合固定してスタンドボックスＢを形成するが、説明の都合上、前記作成手順図３６を、図１０に拡大表示して説明する。先ず、スタンドボックスＢの作成の第１工程として、図１０のaに示すように、第１・第２のボックス形成片３７・３８を押し広げて展開する。次に、第２工程として、図１０のｂに示すように、第１のボックス形成片３７に設けられた折曲げ線６５を谷折りして、幅広の第１の側壁形成面６７と細幅の第２側壁形成面６８とし、更に、第２のボックス形成片３８に設けられた折曲げ線６６を谷折りして、幅広の第２の側壁形成面６９と細幅の第２の側壁形成面７０とする一方、前記第１・第２のボックス形成片３７・３８をそれぞれ内側方向に折曲げて、第１のボックス形成片３7の差込みスリット５５(図１０のａ・ｂにおいては「丸ａ」として表示)に、第２のボックス形成片３８の差込み片４８(図１０のａ・ｂにおいては「丸Ａ」として表示)を差込み係止すると共に、第２のボックス形成片３８の差込みスリット６０(図１０のａ・ｂにおいては「丸ｂ」として表示)に第１のボックス形成片３７の差込み片４２(図１０のａ・ｂにおいては「丸Ｂ」として表示)を差込み係止することにより、前記第１の幅広の側壁面６７と第１の細幅の側壁面６８、および第２の幅広の側壁面６９と第２の細幅の側壁面７０とで底面を開口したスタンドボックスＢの方形状側壁面が形成される。
【００３６】
次に、第３工程として、図１０のｃの底面図に示すように、前記底面を開口したスタンドボックスＢの第２のボックス形成片３８の第２の幅広の側壁面６９の下方側の、方形状の突片４６・４７を備えた第１の底壁面７１(図１０のｃにおいては「丸１」として表示)を内側(矢印方向)に折曲すると共に、前記第１のボックス形成片３７の三角形状の突起４１ａを備えた突片４１(図１０のｃにおいては「丸２」として表示)と、第２のボックス形成片３８の三角形状の突起４５ａを備えた突片４５(図１０のｃにおいては「丸３」として表示)をそれぞれ内側(矢印方向)へ折曲して、前記第１の底壁面７１の下面に摺接し、更に第４工程として、図１０のｄの底面図に示すように、前記突片４１の三角形状の突起４１ａ部分と、前記突片４５の三角形状の突起４５ａ部分とを、前記第１の底壁面７１の上面側へ配置する。
【００３７】
然る後、第５工程として、図１０のｅの底面図に示すように、前記第１のボックス形成片３７の幅広の第１の側壁面６７の下方側の、長方形状の突片４０を備えた第２の底壁面７２を、前記第１の底壁面７１の上面側へ挿入することにより、前記第１・第２の底壁面７１・７２および三角形状の突起４１ａ・４５ａを備えた突片４１・４５とが圧接して、図１０のｆの底面図、および図１１の平面図に示すように、のり等の接着材を使用することなく、接合固定されてスタンドボックスＢが形成される。図１２は壁面用印刷表示Ｄ１・Ｄ２が判るようにした、完成後のスタンドボックスＢを下方側から見た斜視図である。そして、前記パッケージＰから取り出した複数個の商品１を、前記スタンドボックスＢ内に収納して保管することができる。
【符号の説明】
【００３８】
Ｐ  宅配便または郵便物用パッケージ
Ｂ  商品保管用スタンドボックス
Ｄ  商品等表示
Ｄ１・Ｄ２  壁面用印刷表示
１  商品
２・３  収納部
２ａ・３ａ  空隙部
４  硬質紙片
５  中間片
６  側壁形成片
７  上側折曲げ片
８  側壁形成片
９  下側折曲げ片
１０  左側蓋片
１１  右側蓋片
１２・１３・１４・１５  折曲げ小片
１６・１７  側壁形成片
１８・１９  折曲げ線
２０ａ・２０ｂ  折曲げ線を兼ねるミシン線
２１  折曲げ線を兼ねるミシン線
２２  折曲げ線
２３  折曲げ線を兼ねるミシン線
２４・２５  折曲げ線
２６ａ・２６ｂ  折曲げ線を兼ねるミシン線
２７  折曲げ線を兼ねるミシン線
２８  折曲げ線
２９  折曲げ線を兼ねるミシン線
３０  第１の方形状片
３１  連設片
３２  第１の延長突出片
３２ａ・３２ｂ  折曲げ片
３３  第２の方形状片
３４  連設片
３５  第２の延長突出片
３５ａ  折曲げ片
３６  作成手順図
３７  第１のボックス形成片
３８  第２のボックス形成片
３９  第１の長方形状面
４０・４１  突片
４２  差込み片
４３  切断用のミシン線
４３ａ  上端縁のミシン線
４３ｂ  下端縁のミシン線
４４  第２の長方形状面
４５・４６・４７  突片
４８  差込み片
４９  切断用のミシン線
４９ａ  上端縁のミシン線
４９ｂ  下端縁のミシン線
５０・５１  折曲げ線
５２  差込み用スリット
５３ａ・５３ｂ  折曲げ線
５４  切断用のミシン線
５５  差込み用スリット
５６  折曲げ線
５７  差込み片
５８ａ・５８ｂ  折曲げ線
５９  切断用のミシン線
６０  差込み用スリット
６１・６２  差込み片
６３・６４  差込み用スリット
６５・６６  折曲げ線
６７  第１の幅広の側壁面
６８  第１の細広の側壁面
６９  第２の幅広の側壁面
７０  第２の細広の側壁面
７１  第１の底壁面
７２  第２の底壁面
【図１】
2019038573.tif 000003
【図２】
2019038573.tif 000004
【図３】
2019038573.tif 000005
【図４】
2019038573.tif 000006
【図５】
2019038573.tif 000007
【図６】
2019038573.tif 000008
【図７】
2019038573.tif 000009
【図８】
2019038573.tif 000010
【図９】
2019038573.tif 000011
【図１０】
2019038573.tif 000012
【図１１】
2019038573.tif 000013
【図１２】
2019038573.tif 000014